(57)【要約】【課題】  原稿サイズを確実に判別することができ、かつ、排紙口から排紙された原稿を視認し易くするとともに取り出し易くする手段を提供する。【解決手段】  自動原稿搬送装置（ＡＤＦ）１は、原稿トレイ２から排紙トレイ４へ形成された搬送路３と、原稿トレイ２から搬送路３に繰り込まれた原稿の先端が静止するローラ面に当接し斜行を修正された後、回転して当該原稿をニップし搬送するレジストローラ７ａと、レジストローラ７ａより下流側の搬送路３に適宜配設され、レジストローラ７ａと同調回転して原稿をニップし搬送する搬送ローラ７と、搬送されている原稿を読取るＣＣＤ読取ユニット１２と、読取り後の原稿を排紙トレイ４へ排出する排紙ローラ９と、搬送路３の検知位置における原稿の有無を検知する原稿長センサ３４と、を具備してなり、原稿長センサ３４は、レジストローラ７ａが原稿をニップして搬送するため所定数回転した時に検知位置における当該原稿の有無を検知する。【選択図】  図４
2006143422.tif 000002
【特許請求の範囲】
【請求項１】
原稿トレイから排紙トレイへ形成された搬送路と、原稿トレイから搬送路に繰り込まれた原稿の先端が静止するローラ面に当接し斜行を修正された後、回転して当該原稿をニップし搬送するレジストローラと、該レジストローラより下流側の搬送路に適宜配設され、レジストローラと同調回転して原稿をニップし搬送する搬送ローラと、搬送されている原稿を読取る読取手段と、読取り後の原稿を排紙トレイへ排出する排紙ローラと、搬送路の検知位置における原稿の有無を検知する原稿長センサと、を具備してなる自動原稿搬送装置であって、前記原稿長センサは、前記レジストローラが前記原稿をニップして搬送するため所定数回転した時に前記検知位置における当該原稿の有無を検知することを特徴とする自動原稿搬送装置。
【請求項２】
前記レジストローラより直上流側の搬送路に、前記搬送路に繰り込まれた原稿の先端を検知するレジストセンサが配設されるとともに、当該レジストセンサが前記原稿の先端を検知した時から所定時間経過後に、前記レジストローラが回転を開始することを特徴とする請求項１に記載の自動原稿搬送装置。
【請求項３】
前記読取手段より上流側の搬送路に、前記搬送されている原稿の幅を検知する原稿幅センサが配設されることを特徴とする請求項１又は請求項２に記載の自動原稿搬送装置。
【発明の詳細な説明】
【技術分野】
【０００１】
本発明は、スキャナ、ファクシミリ、複写機等において、原稿トレイ上の原稿を搬送路を通じて読取位置、排紙トレイへ搬送する自動原稿搬送装置に関する。
【背景技術】
【０００２】
スキャナ、ファクシミリ、複写機等においては、複数枚の原稿を順次給紙するオート・ドキュメント・フィーダー（以下「ＡＤＦ」という。）等による自動原稿搬送装置が装備されているものがあり、該自動原稿搬送装置によれば、原稿トレイ上に載置された複数枚の原稿を連続的且つ自動的に読取位置へ搬送することができる。
【０００３】
図８は、コピー・ファクシミリ複合機９００のＡＤＦ部分の断面構造を示すものであり、該ＡＤＦにより、原稿トレイ９０１上の原稿が原稿トレイ９０１の下方に設けられた排紙トレイ９０２へ上方から下方へＵターンするように搬送され、その搬送過程においてＣＣＤ等の画像読取手段により、該原稿の画像読取りが行われるようになっている。具体的には、図に示すように、原稿トレイ９０１から排紙トレイ９０２へ通ずる搬送路９０３が形成されており、搬送路９０３の給紙口付近に設けられた給紙ローラ９０４Ａ，９０４によって原稿トレイ９０１上の原稿が搬送路９０３に送り込まれる。搬送路９０３に送り込まれた原稿は、レジストローラ９０５や適宜配設された搬送ローラ９０６によって搬送路９０３に沿って連続的に搬送され、排紙ローラ９０７によって排紙トレイ９０２へ排出される。原稿トレイ９０１から搬送路９０３へ繰り込まれた原稿は、その搬送過程においてＣＣＤ（Charge Coupled Device）読取ユニット９０８により原稿の一方の面の画像読取りが行われ、更にその下流においてＣＩＳ（Contact Image Sensor）読取ユニット９０９によって原稿の他方の面の画像読取りが行われる。
【０００４】
原稿トレイ９０１上にセンサを設けて原稿サイズを判別する構成のものもあるが、原稿トレイ９０１にサイズの異なる原稿が混載された場合には対応できない。そこで、前記ＡＤＦにおいては、原稿の画像読取前に原稿サイズを自動判別するためにリードセンサ９１０、原稿長センサ９１１及び原稿幅センサ９１２を搬送路９０３に配設している。リードセンサ９１０は、搬送されている原稿の先端を検知し、その検知した時点から所定時間経過した後に、ＣＣＤ読取ユニット９０８の読取り動作を開始させるためのものである。該リードセンサ９１０が原稿の先端を検知した時点での原稿長センサ９１１の原稿検知の有無によって、原稿長を判別する。一方、原稿幅センサ９１２は、搬送路９０３の幅方向に複数のセンサが列設されてなり、各原稿幅センサ９１２の原稿検知の有無によって、原稿幅を判別する。これら原稿長と原稿幅との判別結果に基づいて、不図示の制御部により原稿読取前に原稿サイズが判別される（例えば特許文献１参照）。
【０００５】
なお、原稿長センサ９１１が原稿の先端を検知してから当該原稿の後端を検知するまでの経過時間によって原稿長を判別するものもある。また、図には示していないが、ＣＣＤ読取ユニット９０８の下流側から上流側へ戻し路を形成し、１回目の通紙でＣＣＤ読取ユニット９０８によりプレスキャンして原稿サイズを判別し、該戻し路を経て原稿を戻して２回目の通紙でＣＣＤ読取ユニット９０８により画像読取りを行う構成のものもある。
【０００６】
【特許文献１】特開２００２−２１８１５７号公報
【発明の開示】
【発明が解決しようとする課題】
【０００７】
しかしながら、従来の自動原稿搬送装置において、ＣＣＤ読取ユニット９０８により読み取られた画像情報は、画像読取制御部から本体制御部へ送信されるが、画像情報のデータ量が多いことや画像読取制御部から本体制御部へのデータ送信速度、本体制御部による記録やファクシミリ送信等の処理を考慮すれば、前述した原稿サイズ情報は画像情報の前に本体制御部に送信されることが好ましい。したがって、ＣＣＤ読取ユニット９０８による読取位置から前記リードセンサ９１０による原稿の先端の検知位置まで、ある程度の長さの搬送路長を必要とする。よって、原稿長センサ９１１からＣＣＤ読取ユニット９０８による読取位置までの搬送路長が長くなるため、図に示すように、給紙口が排紙口より迫り出すように搬送路９０３が形成されるので排紙口が奥まった位置となり、更に該給紙口には原稿トレイ９０１が設けられているので、排紙トレイ９０２に排紙された原稿が視認し難く、且つ取り出し難いという問題がある。
【０００８】
また、原稿長センサ９１１が原稿の先端を検知してから当該原稿の後端を検知するまでの経過時間によって原稿長を判別する自動原稿搬送装置においては、レジスト時の原稿の撓みや斜行の程度によって、原稿長センサ９１１が原稿の先端を検知してから原稿がレジストローラにニップされて搬送を開始されるまでの時間にばらつきが生じるため、原稿長の判別に誤りが生じるという問題がある。また、戻し路を形成して２回の通紙で画像読取りを行う構成では、サイズの異なる原稿が混載されている場合に各原稿毎にプレスキャンを行う必要があるため、画像読取りに要する時間が長くなるという問題がある。
【０００９】
本発明は、前記問題に鑑みてなされたものであり、原稿サイズを確実に判別することができ、かつ、排紙口から排紙された原稿を視認し易くするとともに取り出し易くする手段を提供することを目的とする。
【課題を解決するための手段】
【００１０】
上記目的を達成するために、請求項１に記載の自動原稿搬送装置は、原稿トレイから排紙トレイへ形成された搬送路と、原稿トレイから搬送路に繰り込まれた原稿の先端が静止するローラ面に当接し斜行を修正された後、回転して当該原稿をニップし搬送するレジストローラと、該レジストローラより下流側の搬送路に適宜配設され、レジストローラと同調回転して原稿をニップし搬送する搬送ローラと、搬送されている原稿を読取る読取手段と、読取り後の原稿を排紙トレイへ排出する排紙ローラと、搬送路の検知位置における原稿の有無を検知する原稿長センサと、を具備してなる自動原稿搬送装置であって、前記原稿長センサは、前記レジストローラが前記原稿をニップして搬送するため所定数回転した時に前記検知位置における当該原稿の有無を検知することを特徴としている。
【００１１】
請求項２に記載の自動原稿搬送装置は、請求項１記載の自動原稿搬送装置において、前記レジストローラより直上流側の搬送路に、前記搬送路に繰り込まれた原稿の先端を検知するレジストセンサが配設されるとともに、当該レジストセンサが前記原稿の先端を検知した時から所定時間経過後に、前記レジストローラが回転を開始することを特徴としている。
【００１２】
請求項３に記載の自動原稿搬送装置は、請求項１又は請求項２に記載の自動原稿搬送装置において、前記読取手段より上流側の搬送路に、前記搬送されている原稿の幅を検知する原稿幅センサが配設されることを特徴としている。
【発明の効果】
【００１３】
請求項１に記載の自動原稿搬送装置によれば、前記原稿長センサは、前記レジストローラが前記原稿をニップして搬送するため所定数回転した時に前記検知位置における当該原稿の有無を検知するので、上記従来のリードセンサが原稿の先端を検知するまで原稿長を判別できないものに比べて、リードセンサの検知位置に関わらず原稿長を判別できるため、排紙口から排紙された原稿を視認し易くするとともに取り出し易くすることが可能になる。また、上記従来の原稿長センサが原稿の先端を検知してから当該原稿の後端を検知するまでの経過時間によって原稿長を判別するものに比べて、レジストローラが原稿をニップして搬送するため所定数回転した時における原稿の先端が達する位置は、レジスト時の原稿の撓みや斜行の程度による誤差が少ないので、原稿サイズを確実に判別することができる。また、上記従来の戻し路を形成して２回の通紙で画像読取りを行う構成に比べて、サイズの異なる原稿が混載されている場合に各原稿毎にプレスキャンを行う必要がないため、画像読取りに要する時間が短くなる。
【００１４】
請求項２に記載の自動原稿搬送装置によれば、レジストセンサが原稿の先端を検知した時から所定時間経過後にレジストローラが回転を開始するので、前記所定時間を適切なものとすることにより、レジスト時の原稿の撓みや斜行の程度による誤差がさらに少なくなり、原稿サイズをより確実に判別することができる。
【００１５】
請求項３に記載の自動原稿搬送装置によれば、原稿長センサとともに原稿幅センサが配設されるので、これらの検出結果を組合わせることにより、搬送されている原稿の原稿サイズと搬送方向をさらに確実に判別することができる。
【発明を実施するための最良の形態】
【００１６】
本発明の実施の形態に係る自動原稿搬送装置１を具備するコピー・ファクシミリ複合機１００は、図１に示すように、フラット・ベッド・スキャナ（以下、「ＦＢＳ」という。）として機能する読取載置台１０１と、該読取載置台に開閉自在に枢着された原稿押えカバー１０２とを具備してなる。コピー・ファクシミリ複合機１００は、図示していないが、原稿の読取り開始等を入力するための操作パネル、記録用紙に画像を記録する画像記録部、画像を電送するための送信部等を内蔵した本体、読み取った画像を記録するための記録用紙を供給する給紙カセット等も具備してなる。本コピー・ファクシミリ複合機１００では、原稿押えカバー１０２内のＡＤＦ１により自動原稿搬送装置が構成されており、該ＡＤＦ１により、原稿トレイ２上の原稿が原稿トレイ２の下方に設けられた排紙トレイ４へ上方から下方へＵターンするように搬送され、その搬送過程において画像読取りが行われるようになっている。
【００１７】
前記読取載置台１０１には、略直方体の筐体１０の天面にプラテンガラス１１が配設され、該筐体１０内には、ＣＣＤ読取ユニット１２が内蔵されている。該ＣＣＤ読取ユニット１２は、図に示すように、読取位置Ｐ１へ光を照射する光源１４と、原稿からの反射光Ｒを所定の方向へ導くための反射ミラー１５と、反射光Ｒを収束する集光レンズ１６と、該収束光を電気信号に変換して出力するＣＣＤイメージセンサ１７とを備えてなる所謂縮小光学系の読取ユニットである。このように構成されたＣＣＤ読取ユニット１２は、ＦＢＳとして機能する際には、プラテンガラス１１に対して水平に移動して該プラテンガラス１１上の原稿を走査し、ＡＤＦ１を用いる場合には、読取位置Ｐ１へ移動して搬送路３を搬送されている原稿の画像を走査し、それぞれの原稿からの反射光ＲをＣＣＤ１７へ導いて結像する。なお、図には示していないが、ＣＣＤ読取ユニット１２により読み取られて電気信号に変換された画像信号は、アナログ／デジタル変換、シェーディング処理等が施された後、プリンタ等の画像記録部により記録用紙に記録され、又はＣＯＤＥＣ等の送信部により電送される。
【００１８】
以下に詳述する自動原稿搬送装置は、図１及び図２に示すように、前記原稿押えカバー１０２内にＡＤＦ１として配設されて読取位置Ｐ１，Ｐ２へ原稿を連続的に搬送するようになっており、上下ニ段に配設された原稿トレイ２及び排紙トレイ４と、原稿トレイ２から排紙トレイ４へ横向きＵ字状に形成された搬送路３と、搬送路３の給紙口近傍に配設されて、原稿トレイ２から繰り込まれた原稿を厚み方向に挟み込んで分離する給紙ローラ５及び分離パッド６と、搬送路３に適宜配設されて、原稿をニップして搬送する搬送ローラ７と、搬送路の折返し部の直下流の搬送路外側に配設されて、搬送されている原稿の第１面を読み取る前記ＣＣＤ読取ユニット（読取手段）１２と、該ＣＣＤ読取ユニット１２より下流側の搬送路内側に配設されて、読取位置Ｐ２において搬送されている原稿の第２面を読み取るＣＩＳ読取ユニット８と、搬送路３の排紙口近傍に配設されて、読取り後の原稿をニップして排紙トレイ４へ排出する排紙ローラ９と、を具備してなる。このようなＡＤＦ１によって原稿トレイ２から搬送路３へ繰り込まれた原稿は、横向きＵ字状の搬送路３に沿って上方から下方へＵターンするように反転して読取位置Ｐ１に至り、該読取位置Ｐ１を通過する際に前記ＣＣＤ読取ユニット１２により原稿の第１面の画像が読み取られ、さらに搬送路３を搬送されて読取位置Ｐ２に至り、該読取位置Ｐ２を通過する際にＣＩＳ読取ユニット８により原稿の第２面の画像が読み取られた後、原稿トレイ２の下方の排紙トレイ４へ排出されるので、１回の通紙、所謂１パスで原稿の両面の画像読取りができる。
【００１９】
原稿トレイ２は、原稿押えカバー１０２の上部に、原稿を供給する方向へ若干傾斜させて設けられており、その上面において読取前の複数枚の原稿を積重状態で担持するようになっている。使用者が原稿トレイ２上に原稿を載置する場合には、原稿トレイ２の傾斜下端側に原稿の先端を搬送路３の入口に挿入するようにして載置する。なお、図示していないが、原稿トレイ２には、原稿の幅方向の位置を規制して原稿の斜め送りを防止する可変式のガイドが設けられている。
【００２０】
搬送路３は、上下二段に配置された原稿トレイ２と排紙トレイ４とを繋ぐように横向きＵ字状に形成されており、その折返し部分の直下流で読取位置Ｐ１となるプラテンガラス１８上を通過し、該読取位置Ｐ１の下流側の読取位置Ｐ２を通過して排紙トレイ４へ連通している。該搬送路３は、原稿押えカバー１０２内に配設されたペーパガイド３０及び中間ガイド３１が内側ガイド面を構成し、原稿押えカバー１０２のカバー本体１０２ａ及びＡＤＦカバー１０２ｂが外側ガイド面を構成して、所定の厚みの原稿が通過可能なものとなっている。
【００２１】
カバー本体１０２ａは、原稿押えカバー１０２のハウジングであって、ペーパガイド３０や中間ガイド３１等が取り付けられるようになっており、また、搬送路３を構成する外側ガイド面や前記排紙トレイ４はカバー本体１０２ａに一体的に形成されている。一方、ＡＤＦカバー１０２ｂは、主として原稿押えカバー１０２のハウジングの上部を構成し、カバー本体１０２ａに対して原稿搬送方向の下流側を回動支点として回動可能に設けられている。
【００２２】
詳細には、図２に示すように、ＡＤＦカバー１０２ｂは、ＡＤＦ１が設けられた側の原稿押えカバー１０２の側壁と天板とを構成しており、該側壁部分の下端にて支軸２０を介してカバー本体１０２ａに枢支されている。したがって、ＡＤＦカバー１０２ｂの搬送方向上流側、即ち原稿トレイ２側を上方ヘ持ち上げることにより、前記支軸２０を回動支点としてＡＤＦカバー１０２ｂを開閉できる。ＡＤＦカバー１０２ｂを開くことにより、分離パッド６や搬送ローラ７等の原稿押えカバー１０２の内部構造が露出され、メンテナンスや紙詰まりの修復を行うことができる。また、ＡＤＦカバー１０２ｂの下面側は前記カバー本体１０２ａとともに搬送路３の外側ガイド面を構成している。
【００２３】
ペーパガイド３０は、搬送路３の折返し部付近の内側ガイド面を構成しており、搬送ローラ７等が適宜配設されて前記カバー本体１０２ａに固定されている。一方、中間ガイド３１は、搬送路３の折返し部付近より上流側及び下流側の内側ガイド面を構成している。即ち、中間ガイド３１の上面が搬送路３の給紙口付近の内側ガイド面となり、中間ガイド３１の下面が排紙口付近の内側ガイド面となっている。また、搬送路３の構成は一例であり、例えばペーパガイド３０に代えて大径の搬送ドラムを設ける等、周知の搬送路の構成に変更可能である。
【００２４】
給紙ローラ５は、搬送路３の給紙口付近に配設されて、原稿トレイ２から繰り込まれた原稿と圧接しながら回転することにより該原稿を搬送路３へ送り込むとともに、分離パッド６が圧接されることにより重送された原稿を分離するものである。図には詳細に示していないが、給紙ローラ５は、金属製のローラ軸にシリコン製やＥＰＤＭ（Ethylene-Propylene-Diene Methilene linkage：エチレンプロピレンジエン三元共重合体）製のローラ本体がワンウェイクラッチを介して取り付けられて、搬送路３の給紙口付近の搬送路外側に配設されている。給紙ローラ５のローラ軸は、前記ＡＤＦカバー１０２ｂに軸支されており、ＡＤＦカバー１０２ｂが開かれると、給紙ローラ５もＡＤＦカバー１０２ｂとともに上方ヘ回動する。
【００２５】
一方、分離パッド６は、原稿に対する摩擦係数が前記給紙ローラ５のローラ本体の原稿に対する摩擦係数より低く、且つ原稿同士の摩擦係数より高いものであり、例えばウレタン系樹脂で成形されている。このような分離パッド６が分離パッドホルダ６０の上面に貼設されている。該分離パッドホルダ６０は、中間ガイド３１の上面に凹設された取付孔６１に揺動可能に軸支されて嵌め込まれており、該取付孔６１内に設けられたコイルバネ６２により上方向に付勢されることにより、分離パッド６を給紙ローラ５のローラ本体に圧接している。また、給紙ローラ５と分離パッド６との間を原稿が通過する際には、該原稿の厚みに応じて分離パッドホルダ６０が下方へ回動するようになっている。これら給紙ローラ５及び分離パッド６により搬送路３へ繰り込まれた原稿が１枚づつ分離されて順次送られる。また、搬送路３へ送られた原稿は、搬送ローラ７にニップされて読取位置Ｐ１，Ｐ２へ搬送されるが、原稿が搬送ローラ７にニップされると、前記ワンウェイクラッチにより給紙ローラ５のローラ本体がローラ軸に対して原稿搬送方向に自由回転可能な状態となって、搬送ローラ７により搬送される原稿にローラ本体を従動させて、給紙ローラ５及び分離パッド６によるニップが原稿の搬送に影響を与えないようにしており、これにより、所謂原稿のビビリが発生することを防止している。
【００２６】
また、前記給紙ローラ５の上流側には、ピックアップローラ５０が配設されている。該ピックアップローラ５０は、不図示の給紙クラッチにより上下方向に回動するピックアップアーム５１に回転可能に支持されており、ピックアップアーム５１は、ピックアップローラ５０を回転可能に挟持する一対のアームからなり、基端側が給紙ローラ５のローラ軸に回動可能に係止され、先端側が原稿トレイ２側へ延出してピックアップローラ５３を軸支している。該ピックアップアーム５１は、原稿トレイ２に原稿を載置する際等の待機状態では先端側が上昇して前記ピックアップローラ５０を中間ガイド３１から離れた状態とし、原稿繰込み時に下方へ回動して、前記ピックアップローラ５０を原稿トレイ２上の原稿の最上紙と接触するように降下する。該ピックアップローラ５０は、原稿トレイ２上の原稿と圧接しながら回転して、該原稿を前記給紙ローラ５へ繰り込むようになっている。
【００２７】
なお、図には示していないが、前記原稿トレイ２の原稿の有無は原稿セットセンサにより検知され、該検知信号に基づいて制御部がピックアップローラ５０、ピックアップアーム５１、給紙ローラ５、及び給紙クラッチ（不図示）の動作を制御するようになっている。また、モータ等の駆動源からは給紙ローラ５のローラ軸に駆動伝達され、さらに不図示のベルト伝達機構によりピックアップローラ５０のローラ軸に駆動伝達されるとともに、ピックアップアーム５１を下降させる場合には給紙クラッチが繋がれてピックアップアーム５１にも駆動力が伝達される。また、ピックアップアーム５１はバネにより上方ヘ付勢されており、給紙クラッチが切断されると該バネの付勢力により最上位置に戻って待機状態となる。
【００２８】
搬送ローラ７は、ローラ軸に複数のローラ本体が軸方向に所定間隔で固定されてなるものであり、例えば、金属製のローラ軸にシリコン製やＥＰＤＭ製のローラが固定されてなるが、該ローラ本体の数や位置は、搬送すべき原稿のサイズ等を考慮して適宜設定される。本実施の形態では、４個の搬送ローラ７ａ，７ｂ，７ｃ，７ｄが内側ガイド面を構成するペーパガイド３０に夫々軸支されており、これら各搬送ローラ７ａ，７ｂ，７ｃ，７ｄに対し、外側ガイド面側に従動ローラ７０が各搬送ローラ７ａ，７ｂ，７ｃ，７ｄと圧接するように配設され、これら搬送ローラ７ａ，７ｂ，７ｃ，７ｄが同調回転し、従動ローラ７０とにより原稿をニップしながら搬送路３に沿って搬送するようになっている。また、折返し部より上流側の２個の搬送ローラ７ａ，７ｂと対向している２個の従動ローラ７０は、前記給紙ローラ５と同様に、前記ＡＤＦカバー１０２ｂに軸支されており、図に示すように、ＡＤＦカバー１０２ｂが開かれると、前記給紙ローラ５とともにこれら従動ローラ７０も上方ヘ回動して、給紙ローラ５と分離パッド６との圧接状態、搬送ローラ７ａ，７ｂと従動ローラ７０との圧接状態がそれぞれ開放され、紙詰まりの修正やメンテナンスが可能となる。
【００２９】
また、前記搬送ローラ７のうち最上流側に配置された搬送ローラ７ａは、所謂レジストローラとして機能している。該搬送ローラ７ａの上流側の搬送路３では、外側ガイド面が凹陥されて搬送路３の上下幅が広くなったレジスト空間３２が形成されるとともに、搬送ローラ７ａの直上流側にレジストセンサ３３が配設されている。前述したように、給紙ローラ５及び分離パッド６により分離されて搬送路へ送り込まれた原稿は、その先端がレジストセンサ３３により検知され、当該先端が搬送ローラ７ａのニップ部に当接する。この際、搬送ローラ７ａは停止状態にあり、原稿はさらに給送されてバックリングし撓むが、この原稿の撓みは前記レジスト空間３２により許容される。このように原稿が撓むことにより、該原稿の先端の斜行が搬送ローラ７ａのローラ面に従って修正される。その後、該原稿の先端をレジストセンサ３３が検知してから所定カウント後、即ちバックリングした原稿の先端が再び搬送ローラ７ａのニップ部に当接するようになるタイミングで、搬送ローラ７ａの電磁クラッチ（不図示）がＯＮされ、搬送ローラ７ａはモータ等の駆動源と接続され回転を開始する。このように、搬送ローラ７ａにより原稿の斜行が修正されて搬送される。
【００３０】
ＣＩＳ読取ユニット８は、所謂密着形イメージセンサを用いたものであり、図に詳細は示していないが、光源により照射された原稿からの反射光を収束性ファイバで光導電素子上に収束して読み取る固定式の読取手段である。該ＣＩＳ読取ユニット８は、前記中間ガイド３１に配設されることにより、搬送路内側であって、ＡＤＦ１の縦断面視において、分離パッド６と該分離パッド６の直下流に配設された搬送ローラ７ａとの間の下方であって、且つＣＣＤ読取ユニット１２の読取位置Ｐ１と排紙ローラ９との間に配置されている。また、ＣＩＳ読取ユニット８に採用されているＣＩＳは被写体深度が浅いので、搬送路３の対向位置となる搬送路外側にはプラテンローラ８０が配設されており、該プラテンローラ８０により、搬送される原稿をＣＩＳ読取ユニット８の読取面に圧接して画像読取りを行うようになっている。図４に示すように、中間ガイド３１は、上面下流端付近を回動支点として原稿トレイ２側が開くようになっており、中間ガイド３１を開くことによりＣＩＳ読取ユニット８も上方ヘ回動する。
【００３１】
前記ＣＩＳ読取ユニット８の下流側には一対の排紙ローラ９が配設されている。排紙ローラ９は、搬送ローラ７等と同様に、金属製のローラ軸にシリコン製やＥＰＤＭ製のローラが固定されてなるものであり、搬送路内側の排紙ローラ９は前記中間ガイド３１に軸支され、搬送路外側の排紙ローラ９は前記カバー本体１０２ａに軸支されることにより、互いに圧接して対向しており、画像読取りを終えた原稿を搬送路３から排紙トレイ４へ原稿を排出するようになっている。このような排紙ローラ９は、図に示すように、分離パッド６の略下方であって、該分離パッド６及び分離パッドホルダ６０と搬送路３に対する位置をずらして、即ち、中間ガイド３１に配設される排紙ローラ９と、分離パッドホルダ６０を嵌設するための取付孔６１とが干渉しないようにして配置されている。
【００３２】
つぎに、前記ＡＤＦ１に配設された原稿サイズを判別するためのセンサについて説明する。ＡＤＦ１は、ＣＣＤ読取ユニット１２やＣＩＳ読取ユニット８が読取可能な原稿幅が限定され、Ａ４サイズより大きな原稿、即ちＢ４サイズやＡ３サイズの原稿は原稿長方向にしか搬送できない。以下、例えば、Ａ４サイズ縦とはＡ４サイズの原稿を原稿幅方向に搬送することを、Ａ４サイズ横とはＡ４サイズの原稿を原稿長方向に搬送することをそれぞれ意味する。ＡＤＦ１は、定形原稿として、Ａ５サイズ縦、Ｂ５サイズ縦横、Ａ４サイズ縦横、Ｂ４サイズ横及びＡ３サイズ横の７種類の原稿（原稿サイズ及び搬送方向）が用いられ、これらを画像読取り前に判別する必要がある。
【００３３】
ＡＤＦ１の搬送路３には、原稿長センサ３４及び複数の原稿幅センサ３５が設けられて、ＣＣＤ読取ユニット１２による原稿の画像読取り前に原稿サイズを自動判別する。例えば、図５に示すように、Ａ３サイズの原稿長×原稿幅をＬ１×Ｗ１、Ａ４サイズの原稿長×原稿幅をＬ２×Ｗ２とすると、Ａ３サイズの原稿幅Ｗ１とＡ４サイズの原稿長Ｌ２は等しいが、前記ＡＤＦ１は、Ａ４サイズの原稿は縦方向又は横方向のいずれでも搬送できる、即ち原稿長方向に搬送することも原稿幅方向に搬送することもできるので、例えば原稿幅センサ３５により搬送される原稿の原稿幅を検知したのみでは、Ａ３サイズ縦とＡ４サイズ横とを判別することができない。したがって、原稿長センサ３４及び原稿幅センサ３５により搬送されている原稿の原稿長及び原稿幅を検知して原稿サイズ及び搬送方向を判別している。例えば、原稿長センサ３４の検知信号により、搬送されている原稿がＡ４サイズの原稿長Ｌ２より長いことを検知すれば、原稿幅センサ３５の検知信号により該原稿がＢ４サイズ横かＡ３サイズ横かであると判別することができる。
【００３４】
前記原稿長センサ３４及び原稿幅センサ３５は、図５及び図６に示すように、給紙ローラ５と搬送ローラ７ａとの間に配設されており、図６に示すように、原稿長センサ３４及び原稿幅センサ３５からの検知信号を画像読取制御部が受けて搬送されている原稿サイズを判別する。具体的には、上述したように、原稿トレイ２から繰り込まれた原稿の先端をレジストセンサ３３が検知してから所定カウント後、前記モータと接続されることにより搬送ローラ７ａが回転を開始してから、該搬送ローラ７ａが所定数だけ回転したとき、原稿長センサ３４がその検知位置における原稿の有無を検知する。ここで、搬送ローラ７ａが所定数だけ回転したことは、モータのステップ数等に基づいて判断する。原稿長センサ３４の検知位置は、搬送ローラ７ａが前記所定数回転したとき、搬送される原稿の先端が達すると想定される位置から搬送路長Ｌだけ離れた位置であり、本ＡＤＦ１における搬送路長Ｌは、Ａ４サイズの原稿幅を超え、Ｂ５サイズの原稿長未満の長さである（図５参照）。このようにして、図７に示すように、原稿長センサ３４の検知信号が原稿有りを検知してＯＮのとき、搬送されている原稿の搬送方向の長さが搬送路長Ｌを超え、搬送されている原稿はＢ５サイズ横、Ａ４サイズ横、Ｂ４サイズ横及びＡ３サイズ横の４種類の何れかであることが分かる。一方、原稿長センサ３４の検知信号が原稿無しを検知してＯＦＦのとき、搬送されている原稿の搬送方向の長さが搬送長Ｌ未満であり、搬送されている原稿はＡ５サイズ縦、Ｂ５サイズ縦及びＡ４サイズ縦の３種類の何れかであることが分かる。
【００３５】
搬送ローラ７ａが前記所定数回転したとき、搬送される原稿の先端が達すると想定される位置の誤差は最大数ｍｍ程度であり、原稿のサイズを誤判定する程の誤差は生じないので、搬送される原稿の搬送方向の長さがＡ４サイズの原稿幅を超えるか、Ｂ５サイズの原稿長未満であるかを正確に検知することができる。さらに、サイズ検知誤差が小さいため、搬送路長を最小限にでき、装置をコンパクトにすることができる。
【００３６】
一方、原稿幅センサ３５は、搬送路３の幅方向に複数のセンサが、各種原稿サイズの原稿幅に対応するように搬送路３の一端から所定の検知位置に列設されてなるものであり、これら検知位置における原稿の有無をそれぞれ検知する。具体的には、原稿幅センサ３５は、３つの原稿幅センサ３５ａ，３５ｂ，３５ｃからなり、搬送されている原稿の搬送方向と直交する方向に並ぶ検知位置において原稿の有無をそれぞれ検知する。原稿幅センサ３５ａは原稿セット位置からＢ５サイズの原稿幅を超えＡ４サイズの原稿幅未満の検知位置、原稿幅センサ３５ａは原稿セット位置からＡ４サイズの原稿幅を超えＢ４サイズの原稿幅未満の検知位置、原稿幅センサ３５ａは原稿セット位置からＢ４サイズの原稿幅を超えＡ３サイズの原稿幅未満の検知位置、それぞれにおける原稿の有無を検知する。このようにして、図７に示すように、例えば、原稿幅センサ３４ａの検知信号が原稿有りを検知してＯＮのとき、搬送されている原稿の搬送方向に直交する方向の長さがＢ５サイズの原稿幅を超え、搬送されている原稿はＡ５サイズ縦、Ｂ５サイズ縦、Ａ４サイズ縦横、Ｂ４サイズ縦横及びＡ３サイズ横の７種類の何れかであることが分かる。一方、原稿長センサ３５ａの検知信号が原稿無しを検知してＯＦＦのとき、搬送されている原稿の搬送方向に直交する方向の長さがＢ５サイズの原稿幅以下であり、搬送されている原稿はＢ５サイズ縦であることが分かる。
【００３７】
これら原稿長センサ３４及び３つの原稿幅センサ３５ａ，３５ｂ，３５ｃの検知信号の組合わせに基づいて、図７に示すように、搬送されている原稿を１種類に特定できる。画像読取制御部は、これら検知信号に基づいて原稿を判別し、原稿サイズ及び搬送方向からなる原稿サイズ情報をコピー・ファクシミリ複合機１００の本体制御部に送信し、該本体制御部が原稿サイズ情報に基づいて用紙を選択して読取画像を記録したり、ファクシミリ送信する。このようにして、搬送路３に配設された原稿長センサ３４及び原稿幅センサ３５の検知信号に基づいて画像読取制御部が搬送中の原稿サイズを自動判別することができ、特に原稿トレイ２にサイズの異なる原稿が混載されている場合も、各原稿のサイズを自動判別できるという利点がある。
【００３８】
また、図４に示すように、読取位置Ｐ１の直上流の搬送路３には第１リードセンサ３６が配設されており、該第１リードセンサ３６が搬送されている原稿の先端及び後端を検知し、該検知信号に基づいて、例えば原稿の先端が検知されてから所定カウント後に画像読取りを開始し、原稿の後端が検知されてから所定カウント数後に画像読取りを終了するように、画像読取制御部がＣＣＤ読取ユニット１２を制御する。同様に、読取位置Ｐ２の直上流の搬送路３には第２リードセンサ３７が配設されており、該第２リードセンサ３７の検知信号に基づいて画像読取制御部がＣＩＳ読取ユニット８を制御する。
【００３９】
ＣＣＤ読取ユニット１２及びＣＩＳ読取ユニット８により夫々読み取られた各画像情報は、画像読取制御部から本体制御部へ送信されるが、画像情報のデータ量が多いことや画像読取制御部から本体制御部へのデータ送信速度、本体制御部による記録やファクシミリ送信等の処理を考慮すれば、前述した原稿サイズ情報は画像情報の前に本体制御部に送信されることが好ましい。したがって、搬送ローラ７ａが前記所定数回転したとき搬送される原稿の先端が達すると想定される位置、即ち、原稿長センサ３４の検知位置から搬送路長Ｌだけ離れた位置は、読取位置Ｐ１の上流側である必要がある。
【００４０】
なお、本実施の形態で示したコピー・ファクシミリ複合機１００の構成は、本発明に係る自動原稿搬送装置の一態様にすぎず、本発明の要旨を逸脱しない範囲内で適宜設計変更できることは勿論であり、例えば、コピー機やファクシミリ機、スキャナ等の単独機としても実現可能である。
【産業上の利用可能性】
【００４１】
本発明に係る自動原稿搬送装置は、例えばＡＤＦのような原稿トレイ上の原稿を搬送路を通じて読取位置、排紙トレイへ搬送する自動原稿搬送機構を備えたスキャナ、ファクシミリ、複写機等として利用することができる。
【図面の簡単な説明】
【００４２】
【図１】本発明の実施の形態に係るコピー・ファクシミリ複合機１００の上部の構成を示す断面図である。
【図２】ＡＤＦ１の構成を拡大断面図である。
【図３】（ａ）はＡ３サイズの原稿の原稿長Ｌ１及び原稿幅Ｗ１を示す図であり、（ｂ）はＡ４サイズの原稿の原稿長Ｌ２及び原稿幅Ｗ２を示す図である。
【図４】ＡＤＦ１のレイアウトを示す模式図である。
【図５】ＡＤＦカバー１０２ｂを取り外し、ＡＤＦ１のトレイに各種原稿を載置した状態を示す模式図である。
【図６】コピー・ファクシミリ複合機１００の制御構成を示すブロック図である。
【図７】原稿を判別する判別表である。
【図８】従来のコピー・ファクシミリ複合機９００のＡＤＦ部分を示す断面図である。
【符号の説明】
【００４３】
１  ＡＤＦ（自動原稿搬送装置）
２  原稿トレイ
３  搬送路
４  排紙トレイ
７  搬送ローラ
７ａ  搬送ローラ（レジストローラ）
９  排紙ローラ
１２  ＣＣＤ読取ユニット（読取手段）
３３  レジストセンサ
３４  原稿長センサ
３５  原稿幅センサ
【図１】
2006143422.tif 000003
【図２】
2006143422.tif 000004
【図３】
2006143422.tif 000005
【図４】
2006143422.tif 000006
【図５】
2006143422.tif 000007
【図６】
2006143422.tif 000008
【図７】
2006143422.tif 000009
【図８】
2006143422.tif 000010
【手続補正書】
【提出日】平成17年11月11日(2005.11.11)
【手続補正１】
【補正対象書類名】明細書
【補正対象項目名】０００８
【補正方法】変更
【補正の内容】
【０００８】
また、原稿長センサ９１１が原稿の先端を検知してから当該原稿の後端を検知するまでの経過時間によって原稿長を判別する自動原稿搬送装置においては、レジスト時の原稿の撓みや斜行の程度によって、原稿長センサ９１１が原稿の先端を検知してから原稿がレジストローラ９０５にニップされて搬送を開始されるまでの時間にばらつきが生じるため、原稿長の判別に誤りが生じるという問題がある。また、戻し路を形成して２回の通紙で画像読取りを行う構成では、サイズの異なる原稿が混載されている場合に各原稿毎にプレスキャンを行う必要があるため、画像読取りに要する時間が長くなるという問題がある。
【手続補正２】
【補正対象書類名】明細書
【補正対象項目名】００１６
【補正方法】変更
【補正の内容】
【００１６】
本発明の実施の形態に係る自動原稿搬送装置を具備するコピー・ファクシミリ複合機１００は、図１に示すように、フラット・ベッド・スキャナ（以下、「ＦＢＳ」という。）として機能する読取載置台１０１と、該読取載置台１０１に開閉自在に枢着された原稿押えカバー１０２とを具備してなる。コピー・ファクシミリ複合機１００は、図示していないが、原稿の読取り開始等を入力するための操作パネル、記録用紙に画像を記録する画像記録部、画像を電送するための送信部等を内蔵した本体、読み取った画像を記録するための記録用紙を供給する給紙カセット等も具備してなる。本コピー・ファクシミリ複合機１００では、原稿押えカバー１０２内のＡＤＦ１により自動原稿搬送装置が構成されており、該ＡＤＦ１により、原稿トレイ２上の原稿が原稿トレイ２の下方に設けられた排紙トレイ４へ上方から下方へＵターンするように搬送され、その搬送過程において画像読取りが行われるようになっている。
【手続補正３】
【補正対象書類名】明細書
【補正対象項目名】００１７
【補正方法】変更
【補正の内容】
【００１７】
前記読取載置台１０１には、略直方体の筐体１０の天面にプラテンガラス１１が配設され、該筐体１０内には、ＣＣＤ読取ユニット１２が内蔵されている。該ＣＣＤ読取ユニット１２は、図に示すように、読取位置Ｐ１へ光を照射する光源１４と、原稿からの反射光Ｒを所定の方向へ導くための反射ミラー１５と、反射光Ｒを収束する集光レンズ１６と、該収束光を電気信号に変換して出力するＣＣＤイメージセンサ１７とを備えてなる所謂縮小光学系の読取ユニットである。このように構成されたＣＣＤ読取ユニット１２は、ＦＢＳとして機能する際には、プラテンガラス１１に対して水平に移動して該プラテンガラス１１上の原稿を走査し、ＡＤＦ１を用いる場合には、読取位置Ｐ１へ移動して搬送路３を搬送されている原稿の画像を走査し、それぞれの原稿からの反射光ＲをＣＣＤイメージセンサ１７へ導いて結像する。なお、図には示していないが、ＣＣＤ読取ユニット１２により読み取られて電気信号に変換された画像信号は、アナログ／デジタル変換、シェーディング処理等が施された後、プリンタ等の画像記録部により記録用紙に記録され、又はＣＯＤＥＣ等の送信部により電送される。
【手続補正４】
【補正対象書類名】明細書
【補正対象項目名】００１８
【補正方法】変更
【補正の内容】
【００１８】
以下に詳述する自動原稿搬送装置は、図１及び図２に示すように、前記原稿押えカバー１０２内にＡＤＦ１として配設されて読取位置Ｐ１，Ｐ２へ原稿を連続的に搬送するようになっており、上下ニ段に配設された原稿トレイ２及び排紙トレイ４と、原稿トレイ２から排紙トレイ４へ横向きＵ字状に形成された搬送路３と、搬送路３の給紙口近傍に配設されて、原稿トレイ２から繰り込まれた原稿を厚み方向に挟み込んで分離する給紙ローラ５及び分離パッド６と、搬送路３に適宜配設されて、原稿をニップして搬送する搬送ローラ７と、搬送路３の折返し部の直下流の搬送路外側に配設されて、搬送されている原稿の第１面を読み取る前記ＣＣＤ読取ユニット（読取手段）１２と、該ＣＣＤ読取ユニット１２より下流側の搬送路内側に配設されて、読取位置Ｐ２において搬送されている原稿の第２面を読み取るＣＩＳ読取ユニット８と、搬送路３の排紙口近傍に配設されて、読取り後の原稿をニップして排紙トレイ４へ排出する排紙ローラ９と、を具備してなる。このようなＡＤＦ１によって原稿トレイ２から搬送路３へ繰り込まれた原稿は、横向きＵ字状の搬送路３に沿って上方から下方へＵターンするように反転して読取位置Ｐ１に至り、該読取位置Ｐ１を通過する際に前記ＣＣＤ読取ユニット１２により原稿の第１面の画像が読み取られ、さらに搬送路３を搬送されて読取位置Ｐ２に至り、該読取位置Ｐ２を通過する際にＣＩＳ読取ユニット８により原稿の第２面の画像が読み取られた後、原稿トレイ２の下方の排紙トレイ４へ排出されるので、１回の通紙、所謂１パスで原稿の両面の画像読取りができる。
【手続補正５】
【補正対象書類名】明細書
【補正対象項目名】００２９
【補正方法】変更
【補正の内容】
【００２９】
また、前記搬送ローラ７のうち最上流側に配置された搬送ローラ７ａは、所謂レジストローラとして機能している。該搬送ローラ７ａの上流側の搬送路３では、外側ガイド面が凹陥されて搬送路３の上下幅が広くなったレジスト空間３２が形成されるとともに、搬送ローラ７ａの直上流側にレジストセンサ３３が配設されている。前述したように、給紙ローラ５及び分離パッド６により分離されて搬送路３へ送り込まれた原稿は、その先端がレジストセンサ３３により検知され、当該先端が搬送ローラ７ａのニップ部に当接する。この際、搬送ローラ７ａは停止状態にあり、原稿はさらに給送されてバックリングし撓むが、この原稿の撓みは前記レジスト空間３２により許容される。このように原稿が撓むことにより、該原稿の先端の斜行が搬送ローラ７ａのローラ面に従って修正される。その後、該原稿の先端をレジストセンサ３３が検知してから所定カウント後、即ちバックリングした原稿の先端が再び搬送ローラ７ａのニップ部に当接するようになるタイミングで、搬送ローラ７ａの電磁クラッチ（不図示）がＯＮされ、搬送ローラ７ａはモータ等の駆動源と接続され回転を開始する。このように、搬送ローラ７ａにより原稿の斜行が修正されて搬送される。
【手続補正６】
【補正対象書類名】明細書
【補正対象項目名】００３０
【補正方法】変更
【補正の内容】
【００３０】
ＣＩＳ読取ユニット８は、所謂密着形イメージセンサを用いたものであり、図に詳細は示していないが、光源により照射された原稿からの反射光を収束性ファイバで光導電素子上に収束して読み取る固定式の読取手段である。該ＣＩＳ読取ユニット８は、前記中間ガイド３１に配設されることにより、搬送路３の内側であって、ＡＤＦ１の縦断面視において、分離パッド６と該分離パッド６の直下流に配設された搬送ローラ７ａとの間の下方であって、且つＣＣＤ読取ユニット１２の読取位置Ｐ１と排紙ローラ９との間に配置されている。また、ＣＩＳ読取ユニット８に採用されているＣＩＳは被写体深度が浅いので、搬送路３の対向位置となる搬送路外側にはプラテンローラ８０が配設されており、該プラテンローラ８０により、搬送される原稿をＣＩＳ読取ユニット８の読取面に圧接して画像読取りを行うようになっている。図２に示すように、中間ガイド３１は、上面下流端付近を回動支点として原稿トレイ２側が開くようになっており、中間ガイド３１を開くことによりＣＩＳ読取ユニット８も上方ヘ回動する。
【手続補正７】
【補正対象書類名】明細書
【補正対象項目名】００３３
【補正方法】変更
【補正の内容】
【００３３】
ＡＤＦ１の搬送路３には、原稿長センサ３４及び複数の原稿幅センサ３５が設けられて、ＣＣＤ読取ユニット１２による原稿の画像読取り前に原稿サイズを自動判別する。例えば、図３（ａ）ないしは図３（ｂ）に示すように、Ａ３サイズの原稿長×原稿幅をＬ１×Ｗ１、Ａ４サイズの原稿長×原稿幅をＬ２×Ｗ２とすると、Ａ３サイズの原稿幅Ｗ１とＡ４サイズの原稿長Ｌ２は等しいが、前記ＡＤＦ１は、Ａ４サイズの原稿は縦方向又は横方向のいずれでも搬送できる、即ち原稿長方向に搬送することも原稿幅方向に搬送することもできるので、例えば原稿幅センサ３５により搬送される原稿の原稿幅を検知したのみでは、Ａ３サイズ縦とＡ４サイズ横とを判別することができない。したがって、原稿長センサ３４及び原稿幅センサ３５により搬送されている原稿の原稿長及び原稿幅を検知して原稿サイズ及び搬送方向を判別している。例えば、原稿長センサ３４の検知信号により、搬送されている原稿がＡ４サイズの原稿長Ｌ２より長いことを検知すれば、原稿幅センサ３５の検知信号により該原稿がＢ４サイズ横かＡ３サイズ横かであると判別することができる。
【手続補正８】
【補正対象書類名】明細書
【補正対象項目名】００３４
【補正方法】変更
【補正の内容】
【００３４】
前記原稿長センサ３４及び原稿幅センサ３５は、図５及び図６に示すように、給紙ローラ５と搬送ローラ７ａとの間に配設されており、図６に示すように、原稿長センサ３４及び原稿幅センサ３５からの検知信号を画像読取制御部が受けて搬送されている原稿サイズを判別する。具体的には、上述したように、原稿トレイ２から繰り込まれた原稿の先端をレジストセンサ３３が検知してから所定カウント後、前記モータと接続されることにより搬送ローラ７ａが回転を開始してから、該搬送ローラ７ａが所定数だけ回転したとき、原稿長センサ３４がその検知位置における原稿の有無を検知する。ここで、搬送ローラ７ａが所定数だけ回転したことは、モータのステップ数等に基づいて判断する。原稿長センサ３４の検知位置は、搬送ローラ７ａが前記所定数回転したとき、搬送される原稿の先端が達すると想定される位置から搬送路長Ｌだけ離れた位置であり、本ＡＤＦ１における搬送路長Ｌは、Ａ４サイズの原稿幅を超え、Ｂ５サイズの原稿長未満の長さである（図５参照）。このようにして、図７に示すように、原稿長センサ３４の検知信号が原稿有りを検知してＯＮのとき、搬送されている原稿の搬送方向の長さが搬送路長Ｌを超え、搬送されている原稿はＢ５サイズ横、Ａ４サイズ横、Ｂ４サイズ横及びＡ３サイズ横の４種類の何れかであることが分かる。一方、原稿長センサ３４の検知信号が原稿無しを検知してＯＦＦのとき、搬送されている原稿の搬送方向の長さが搬送路長Ｌ未満であり、搬送されている原稿はＡ５サイズ縦、Ｂ５サイズ縦及びＡ４サイズ縦の３種類の何れかであることが分かる。
【手続補正９】
【補正対象書類名】明細書
【補正対象項目名】００３５
【補正方法】変更
【補正の内容】
【００３５】
搬送ローラ７ａが前記所定数回転したとき、搬送される原稿の先端が達すると想定される位置の誤差は最大数ｍｍ程度であり、原稿のサイズを誤判定する程の誤差は生じないので、搬送される原稿の搬送方向の長さがＡ４サイズの原稿幅を超えるか、Ｂ５サイズの原稿長未満であるかを正確に検知することができる。さらに、サイズ検知誤差が小さいため、搬送路長Ｌを最小限にでき、装置をコンパクトにすることができる。
【手続補正１０】
【補正対象書類名】明細書
【補正対象項目名】００３６
【補正方法】変更
【補正の内容】
【００３６】
一方、原稿幅センサ３５は、搬送路３の幅方向に複数のセンサが、各種原稿サイズの原稿幅に対応するように搬送路３の一端から所定の検知位置に列設されてなるものであり、これら検知位置における原稿の有無をそれぞれ検知する。具体的には、原稿幅センサ３５は、３つの原稿幅センサ３５ａ，３５ｂ，３５ｃからなり、搬送されている原稿の搬送方向と直交する方向に並ぶ検知位置において原稿の有無をそれぞれ検知する。原稿幅センサ３５ａは原稿セット位置からＢ５サイズの原稿幅を超えＡ４サイズの原稿幅未満の検知位置、原稿幅センサ３５ｂは原稿セット位置からＡ４サイズの原稿幅を超えＢ４サイズの原稿幅未満の検知位置、原稿幅センサ３５ｃは原稿セット位置からＢ４サイズの原稿幅を超えＡ３サイズの原稿幅未満の検知位置、それぞれにおける原稿の有無を検知する。このようにして、図７に示すように、例えば、原稿幅センサ３５ａの検知信号が原稿有りを検知してＯＮのとき、搬送されている原稿の搬送方向に直交する方向の長さがＢ５サイズの原稿幅を超え、搬送されている原稿はＡ５サイズ縦、Ｂ５サイズ縦、Ａ４サイズ縦横、Ｂ４サイズ横及びＡ３サイズ横の６種類の何れかであることが分かる。一方、原稿長センサ３５ａの検知信号が原稿無しを検知してＯＦＦのとき、搬送されている原稿の搬送方向に直交する方向の長さがＢ５サイズの原稿幅以下であり、搬送されている原稿はＢ５サイズ横であることが分かる。